(57)【要約】  【課題】  煩雑な初期設定等を要さないため操作性が良好であり、実際に付加した最大トルク値を簡単に確認することができるハンドトルクコンバータを提供する。  【解決手段】  内部にトルクリミッタ機構が収納されるとともに、外周面の所定位置に目盛が設けられた本体部と、本体部の外周に摺動可能に環装されるとともに、手指で回転操作されたときに本体部へトルクを伝達する管状のグリップと、本体部の目盛に対向する位置に目印を有し、本体部の外周に摺動可能に環装されたゲージリングとを備え、処置工具に所定のトルクを付与するべく、グリップを回転操作するとき、ゲージリングが伴に回転摺動し、トルク解除するべくグリップを初期位置まで戻すときには、ゲージリングは最大回転位置に止まるように形成されたものである。【選択図】  図２
2009034311.tif 000002
【特許請求の範囲】
【請求項１】
インプラント手術のための処置工具が先端に取り付けられるハンドピースの後端に接続され、処置工具に所定のトルクを付与するハンドトルクコンバーターであって、
内部にトルクリミッタ機構が収納されるとともに、外周面の所定位置に目盛が設けられた本体部と、当該本体部の外周に摺動可能に環装されるとともに、手指で回転操作されたときに本体部へトルクを伝達する管状のグリップと、前記本体部の目盛に対向する位置に目印を有し、前記本体部の外周に摺動可能に環装されたゲージリングとを備え、
処置工具に所定のトルクを付与するべく、グリップを初期位置から回転操作するとき、ゲージリングが伴に回転摺動し、トルク解除するべくグリップを最大回転位置から初期位置まで戻すときには、ゲージリングは最大回転位置に止まるように形成されたものであるハンドトルクコンバータ。
【請求項２】
前記ゲージリングにおけるグリップ対向面に所定長の溝が形成され、前記グリップは前記溝の所定位置に係合する係合部材を有し、
処置工具に所定のトルクを付与するべく、グリップを初期位置から回転操作するとき、グリップの係合部材がゲージリングの溝の所定箇所に係合し、ゲージリングを伴に回転摺動させ、トルク解除するべくグリップを最大回転位置から初期位置まで戻すときには、グリップの係合部材がゲージリングの溝の所定箇所から係合解除され、ゲージリングは最大回転位置に止まるように形成されたものである請求項１記載のハンドトルクコンバータ。
【発明の詳細な説明】
【技術分野】
【０００１】
本発明は、インプラント手術のための処置工具が先端に取り付けられるハンドピースの後端に接続され、処置工具に所定のトルクを付与するハンドトルクコンバータに関する。
【背景技術】
【０００２】
歯科のインプラント手術では、ハンドピースの先端にタップ等の処置工具が装着され、この処置工具により骨にネジ穴を形成し、このネジ穴に事前にネジ切りしたインプラント材を埋め込むようにしており、このようなハンドピースの後端には、ハンドトルクコンバータが取り付けられる。
【０００３】
慣用されているハンドトルクコンバータとしては、手動にて回転操作することにより処置工具に所定のトルクを付与するように構成されたものがある。ハンドトルクコンバータはトルクリミッタ機構を有し、処置工具に付与されるトルクが所定値を超えた場合に、ハンドトルクコンバータが空回りする機構となっており、空回りした際の音を聞き取ることによってトルク最大値が付加したことを知ることができるものであった。
しかしながら、インプラント手術を受けている患者にとって、このような空回り音は不快なものである。
またトルクリミッターが作動するトルク値が、処置工具自体の許容トルク値よりも大きいことがあり、許容トルク値を超えたトルクが付加された場合には、処置工具等を破損してしまうこともあった。
【０００４】
このような問題を解決するべく、本出願人は特許文献１のハンドトルクドライバーを既に提案している。
【０００５】
特許文献１のハンドトルクドライバーは、ハンドピースの後端にハンドトルクコントローラが接続されたものであり、ハンドトルクコントローラに回転摺動可能な目盛リングが設けられ、この目盛リングに対向するハンドピース、ハンドトルクコントローラ、又は他の環状部材に目印が設けられる。ハンドトルクコントローラは、手動にて回転操作し、予めトルクの限界付加がどの程度のハンドトルクコントローラの回転駆動により生じるかを知得しておくことで、このハンドトルクコントローラの回転駆動時に生じる重量感より、処置工具へのトルクが限界付加に近づいたことを察し、環状部材に設けた目印と、これに対向するハンドピース等に設けた目印とが合致するように、環状部材をあらかじめ回転摺動させた後、再びハンドトルクコントローラを徐々に回転駆動することにより、各目印の相対的な移動量の目視確認をしながら、処置工具が要求する最大トルク付近でハンドトルクコントローラーの回転駆動を中止するものである。
【特許文献１】特開平９−１７３３５８号公報
【発明の開示】
【発明が解決しようとする課題】
【０００６】
特許文献１のハンドトルクドライバーは、処置工具が要求する最大トルク付近でハンドトルクコントローラの回転駆動を制御できる点で優れたものである。
しかしながら、あらかじめ環状部材を所定位置まで回転摺動させて初期設定しなければならず、その手間が煩雑である。また初期設定がハンドトルクコントローラの回転駆動時に生じる重量感、すなわち、施術者の主観的な感覚に依存するものであり、曖昧さを排除することは難しい。さらに、特許文献１のハンドトルクドライバーでは、ハンドトルクコントローラを手動にて回転操作した後、手の力を緩めて駆動解除すると、環状部材もハンドトルクコントローラと伴に初期位置に戻ってしまい、実際に付加した最大トルク値が分からなくなってしまう。
【０００７】
本発明は、このような従来技術の問題を解決するものであり、煩雑な初期設定等を要さないため操作性が良好であり、実際に付加した最大トルク値を簡単に確認することができるハンドトルクコンバータを提供することを課題とする。
【課題を解決するための手段】
【０００８】
上記課題を解決するために、本発明では、インプラント手術のための処置工具が先端に取り付けられるハンドピースの後端に接続され、処置工具に所定のトルクを付与するハンドトルクコンバーターであって、内部にトルクリミッタ機構が収納されるとともに、外周面の所定位置に目盛が設けられた本体部と、当該本体部の外周に摺動可能に環装されるとともに、手指で回転操作されたときに本体部へトルクを伝達する管状のグリップと、前記本体部の目盛に対向する位置に目印を有し、前記本体部の外周に摺動可能に環装されたゲージリングとを備え、処置工具に所定のトルクを付与するべく、グリップを初期位置から回転操作するとき、ゲージリングが伴に回転摺動し、トルク解除するべくグリップを最大回転位置から初期位置まで戻すときには、ゲージリングは最大回転位置に止まるように形成されたものであるハンドトルクコンバータが提供される。
【０００９】
本発明のハンドトルクコンバータにおいて、本体部の外周面に設けられた目盛と、ゲージリングの目印とは、グリップを回転操作してゲージリングが伴に回転摺動するとき、ゲージリングの目印が指し示す目盛により、処置工具に付与しているトルク値を表示するように予め設定されたものとする。
【００１０】
本発明のハンドトルクコンバータは、前記ゲージリングにおけるグリップ対向面に所定長の溝を形成し、前記グリップは前記溝の所定位置に係合する係合部材を有し、処置工具に所定のトルクを付与するべく、グリップを初期位置から回転操作するとき、グリップの係合部材がゲージリングの溝の所定箇所に係合し、ゲージリングを伴に回転摺動させ、トルク解除するべくグリップを最大回転位置から初期位置まで戻すときには、グリップの係合部材がゲージリングの溝の所定箇所から係合解除され、ゲージリングは最大回転位置で止まるように形成することが可能である。
【発明の効果】
【００１１】
本発明のハンドトルクコンバータでは、処置工具に所定のトルクを付与するべく、グリップを初期位置から回転操作すると、ゲージリングが伴に回転摺動し、ゲージリングの目印が本体部の目盛を指し示す。ハンドトルクコンバータを操作する者は、これにより処置工具に付与しているトルク値を確認しながら、グリップを回転操作し、処置工具の許容トルク値や、トルクリミッタ機構の作動開始トルク値を超えることがないように制御する。
またトルク解除するべく、グリップを初期位置まで戻すとき、ゲージリングはグリップの最大回転位置に止まるものであるため、ゲージリングの目印が指し示す目盛を読み取ることにより、処置工具に既に付与された最大トルク値（最大トルク値の履歴）を簡単に確認することができる。
【発明を実施するための最良の形態】
【００１２】
以下、本発明の一実施の形態を図面に基づいて説明する。
本発明の一実施形態のハンドトルクコンバータ１０は、インプラント手術のためにタップ等の処置工具（図示せず）が先端に取り付けられたハンドピース（図示せず）の後端に接続され、手動にてグリップを回転操作することにより処置工具に所定のトルクを付与するものである。
ハンドトルクコンバータ１０は、図１及び図２に示したように、内部に慣用のトルクリミッタ機構２０が収納される本体部１１と、本体部１１の外周に回転摺動可能に環装されたゲージリング１２と、手指で回転操作可能なように本体部１１の外周に環装された管状のグリップ１３とを主要な構成として備える。
【００１３】
前記本体部１１は、ハンドピース（図示せず）の後端に挿入するため比較的細く形成されたジョイント部１１ａが先端に設けられ、比較的太く形成された中間部１１ｂの外周にはトルク値を示す目盛１１ｃが設けられ、この先端から後端に至るまで内部に空洞が形成されている。本体部１１の外周の中間部１１ｂには、ゲージリング１２を環装するために第一の段部１１ｄが形成され、この第一の段部１１ｄの後方には、さらに外径が細く形成された第二の段部１１ｅが形成されている。
【００１４】
前記ゲージリング１２は、図２及び図３に示したように、本体部１１の第一の段部１１ｄに環装されて摺動回転可能なように円環状に形成されたものであり、グリップの前端面に対向する面には所定長の溝１２ａが刻設されている。ゲージリング１２は手指により回転摺動されるか、または、後述するグリップ１３に突設されたピン１３ａから力が加えられたときに回転摺動するものであり、それ自体が回転摺動するものではない。
またゲージリング１２には、図１に示したように、所定位置に目印１２ｂが設けられている。このゲージリング１２の目印１２ｂは、本体部１１の外周に設けられた目盛１１ｃを指し示すものであり、この指し示された目盛１１ｃの値により、ハンドトルクコンバータ１０から処置工具に付与しているトルク値を表示するように、ハンドトルクコンバータ１０の製造時に予め設定される。
【００１５】
前記グリップ１３は、前端が本体部１１の第一の段部１１ｄに環装され、後端が本体部１１の後端に環装され、グリップ固定部材１４により本体部１１の外周に回転摺動可能に固定されている。このグリップ１３と第二の段部１１ｅとの間には比較的大きな隙間１１ｆが生じ、この隙間１１ｆが捩りバネ１５の収納スペースになる。捩りバネ１５の一端１５ａはグリップ１３の後方部に固定され、捩りバネ１５の他の一端１５ｂが本体部１１に固定され、グリップ１３を回転操作したときに、捩りバネ１５を介してトルクが本体部１１に伝達される。
またグリップ１３には係合部材としてのピン１３ａが設けられ、ピン１３ａは、ゲージリング１２の溝１２ａの内部まで突出し、溝１２ａの端部１２ｃ付近に位置している。このピン１３ａは、グリップ１３が回転操作されるときに、ゲージリング１２の溝端部１２ｃに係合し、ゲージリング１２をグリップ１３と伴に回転摺動させるものであり、一方、ピン１３ａがゲージリング１２の溝１２ａの端部１２ｃに係合せず、溝１２ａの内部で動く限りは、ゲージリング１２を回転摺動するものではない。
【００１６】
次に、本発明のハンドトルクコンバータ１０の作用について説明する。
ハンドトルクコンバータ１０は、処置工具に所定のトルクを付与するべく、手指によりグリップ１３を回転操作すると、グリップ１３に突設されたピン１３ａは図３の位置から円弧軌道で時計回り方向に動き、ゲージリング１２の溝端部１２ｃに係合し、ゲージリング１２をグリップ１３と伴に時計回り方向に回転摺動させる。ゲージリング１２の目印１２ｂは本体部１１の目盛１１ｃを指し示しながら動き、ハンドトルクコンバータ１０を操作する者は、これにより処置工具に付与しているトルク値を確認しながら、手指の力を調整し、処置工具の許容トルク値やトルクリミッタ機構２０の作動開始トルク値を超えることがないように制御する。
処置工具に付与しているトルクを解除するべく、グリップ１３を回転操作する手指の力を緩めると、グリップ１３は捩りバネ１５により反時計回り方向に回転し、グリップ１３から突出したピン１３ａはゲージリング１２の溝端部１２ｃから係合解除され、溝１２ａの内部を反時計回り方向に動く。ピン１３ａの係合解除により、ゲージリング１２は最大回転位置に止まり、このゲージリング１２の目印１２ｂが指し示す本体部の目盛１１ｃ（トルク値）が、処置工具に既に付与された最大トルクを意味する。
【００１７】
次に、本体部１１の空洞内部に収納されるトルクリミッタ機構２０は慣用のものであるが、以下に、その構成について説明する。
トルクリミッタ機構２０は、クラッチユニット２１と、クラッチユニット２１に加えられる押圧力を生み出すクラッチバネ２２と、このクラッチバネ２２を両側で挟む前方バネ受け部材２３及び後方バネ受け部材２４と、前方バネ受け部材２３が直接クラッチユニット２１に接触しないように介装され、クラッチユニット２１へとクラッチバネ２２の押圧力を伝達するボール部材２５と、後方バネ受け部材２４に押圧力を加える圧力調整ネジ２６と、この圧力調整ネジ２６を本体部１１の後端で保持する圧力調整ネジ保持部材２７と、圧力調整ネジ２６の後端を覆うため圧力調整ネジ保持部材２７に嵌合されるカバー２８とから構成することができる。
【００１８】
ここで、クラッチユニット２１は、前方クラッチリング２１ａ及びピン保持リング２１ｂがクラッチ軸２１ｃに回転摺動可能に環装され、ピン保持リング２１ｂには複数のクラッチピン２１ｄが突設され、クラッチ軸２１ｃの後端には後方クラッチリング２１ｅが回転摺動しないように固定されている。前方クラッチリング２１ａは、本体部１１に対して回転摺動しないように本体部１１の空洞内部に固定される一方で、後方クラッチリング２１ｅは本体部１１に対して回転摺動可能且つ前後摺動可能なように空洞内部に配置されている。
前方及び後方クラッチリング２１ａ，２１ｅは、その対向端が波形に形成されたものであり、その波形対向端（図示せず）の複数の凹んだ部位（図示せず）にクラッチピン２１ｄがそれぞれ嵌め込まれ、これら複数のクラッチピン２１ｄを介して前方クラッチリング２１ａと後方クラッチリング２１ｅとの間でトルクが伝達される。すなわち、圧力調整ネジ保持部材２７、圧力調整ネジ２６、後方バネ受け部材２４により、クラッチバネ２２は前方への圧力を受ける。そして、クラッチバネ２２は、前方バネ受け部材２３及びボール部材２５を介して、クラッチ軸２１ｃを前方に押圧し、後方クラッチリング２１ｅが複数のクラッチピン２１ｄを介して前方クラッチリング２１ａを前方に押圧している。
【００１９】
したがって、手指によりハンドトルクコンバータ１０のグリップ１３を回転操作すると、そのトルクは捩りバネ１５を介して本体部１１に伝達され、前方クラッチリング２１ａは本体部１１と一体になって回転し、そのトルクがクラッチピン２１ｄを介して後方クラッチリング２１ｅからクラッチ軸２１ｃに伝達される。そして、このクラッチ軸２１ｃから回転駆動力が出力され、ハンドピースを介して先端のタップ等の処理工具まで伝達される。
グリップ１３から付与したトルクが予め設定された許容値を超えたときには、前方クラッチリング２１ａと後方クラッチリング２１ｅとが、クラッチピン２１ｄにおいて滑りを生じて、前方クラッチリング２１ａすなわち本体部１１が空回りして、クラッチ軸２１ｃからは所定値以上のトルクが出力されないようになっている。
【図面の簡単な説明】
【００２０】
【図１】本発明の一実施形態であるハンドトルクコンバータの外観図である。
【図２】本発明の一実施形態であるハンドトルクコンバータの断面図である。
【図３】図２のＸ−Ｘ線に沿った断面図である。
【符号の説明】
【００２１】
１０  ハンドトルクコンバータ
１１  本体部
１１ｃ  目盛
１２  ゲージリング
１２ａ  溝
１２ｂ  目印
１２ｃ  溝端部
１３  グリップ
１３ａ  ピン
２０  トルクリミッタ機構
【図１】
2009034311.tif 000003
【図２】
2009034311.tif 000004
【図３】
2009034311.tif 000005